(57)【要約】【課題】スイッチ状態の復元作業を改善する配電盤を提供する。【解決手段】配電盤は、筐体２と、筐体２に収容される電気機器（１）と、電気機器を操作するための複数の操作スイッチ（１０、１０’）と、操作スイッチ（１０、１０’）に対応して設置され、操作により複数の姿勢に姿勢変更可能又は複数の位置にスライド移動可能、又は複数の姿勢に着脱可能な表示部材（５、５’、５’’、５’’’）と、を有する。表示部材（５、５’、５’’、５’’’）は、姿勢又は位置の違いを識別可能にするための識別要素（５ａ、５ｂ）を有し、姿勢又は位置を保持することにより、対応する操作スイッチ（１０、１０’）の状態を表示可能に構成されている。【選択図】図７Ａ
2018174663.tif 000002
【特許請求の範囲】
【請求項１】
筐体と、
筐体に収容される電気機器と、
前記電気機器を操作するための複数の操作スイッチと、
前記操作スイッチに対応して設置され、操作により複数の姿勢に姿勢変更可能又は複数の位置にスライド移動可能、又は複数の姿勢に着脱可能な表示部材と、を備え、
前記表示部材は、姿勢又は位置の違いを識別可能にするための識別要素を有し、姿勢又は位置を保持することにより、対応する操作スイッチの状態を表示可能に構成されている、配電盤。
【請求項２】
前記操作スイッチに対応して設置されるラベルホルダを備え、
前記ラベルホルダは、箱本体と、前記箱本体に着脱可能な透明蓋と、を有し、内部にラベルカードを保持可能に構成され、
前記表示部材は、前記識別要素が付された透明プレートであり、前記ラベルカードと共に前記ラベルホルダの内部に配置される、請求項１に記載の配電盤。
【請求項３】
前記操作スイッチに対応して設置されるラベルホルダを備え、
前記ラベルホルダは、箱本体と、前記箱本体に着脱可能な透明蓋と、を有し、内部にラベルカードを保持可能に構成され、
前記表示部材は、前記識別要素が付された前記透明蓋であり、前記透明蓋は前記箱本体に対して複数の姿勢で着脱可能である、請求項１に記載の配電盤。
【請求項４】
前記表示部材は、回転軸回りに回転することで複数姿勢に姿勢変更可能である、請求項１に記載の配電盤。
【請求項５】
前記表示部材を回転可能に支持する土台部材を備え、
前記土台部材と前記表示部材との間に突起及び窪みが形成され、前記突起及び窪みが嵌り合うことで前記表示部材の姿勢を保持するように構成されている、請求項１又は４に記載の配電盤。
【請求項６】
前記筐体を閉塞する扉を備え、
前記扉は、前記操作スイッチを正面側へ開放する覗き窓を有し、前記表示部材は、前記扉のうち前記覗き窓の近傍に設けられている、請求項１〜５のいずれかに記載の配電盤。
【請求項７】
前記筐体を閉塞する扉を備え、
前記扉には、前記操作スイッチが取り付けられ、前記表示部材は、前記扉のうち前記操作スイッチの近傍に取り付けられている、請求項１〜５のいずれかに記載の配電盤。
【請求項８】
前記筐体内に配置され、前記操作スイッチを固定するための固定台を有し、前記表示部材は、前記固定台のうち前記操作スイッチの近傍に取り付けられている、請求項１〜５のいずれかに記載の配電盤。
【発明の詳細な説明】
【技術分野】
【０００１】
本開示は、配電盤に関する。
【背景技術】
【０００２】
分電盤、制御盤等の配電盤は、例えば特許文献１に例示するように、接点を開閉するための操作スイッチを有する遮断器と、遮断器を収容すると共に正面側を向く開口を有する箱形の筐体と、筐体の開口を閉塞する扉と、を有する。このような配電盤は、電車の各駅や工場などの施設に多数設けられる。
【先行技術文献】
【特許文献】
【０００３】
【特許文献１】特開２０１６−０８２６４５号公報
【発明の概要】
【発明が解決しようとする課題】
【０００４】
遮断器、制御装置などの配電盤を構成する電気機器の交換や配線交換、夜間停電作業を行う場合には、電気機器を操作するための操作スイッチを全てオフにするが、作業開始前の操作スイッチの状態（どの操作スイッチがどの状態にされていたか）を、テプラ（登録商標）などの目印や写真撮影などにより記録することが考えられる。しかし、一つの配電盤には、操作スイッチが多数設けられているので、記録すべきスイッチが膨大になり、目印自体が剥がれたり、写真などで記録が正しいものの、写真と現物との見比べによる視線移動が多発して作業時間が増大したりすることが考えられる。
【０００５】
本開示は、このような課題に着目してなされたものであって、スイッチ状態の復元作業を改善する配電盤を提供することである。
【課題を解決するための手段】
【０００６】
本開示は、上記目的を達成するために、次のような手段を講じている。
【０００７】
すなわち、本開示の配電盤は、
筐体と、
筐体に収容される電気機器と、
前記電気機器を操作するための複数の操作スイッチと、
前記操作スイッチに対応して設置され、操作により複数の姿勢に姿勢変更可能又は複数の位置にスライド移動可能、又は複数の姿勢に着脱可能な表示部材と、を備え、前記表示部材は、姿勢又は位置の違いを識別可能にするための識別要素を有し、姿勢又は位置を保持することにより、対応する操作スイッチの状態を表示可能に構成されている。
【０００８】
この構成によれば、例えば定常時のスイッチ状態を表示するように各表示部材を姿勢変更又は位置変更又は所望の姿勢で装着しておけば、表示部材が姿勢又は位置を保持し、識別要素により姿勢又は位置の違いが識別可能となるので、メンテナンス時に全てのスイッチをオフにしたとしても、一目でどの状態に戻せば良いかが分かり、利便性を向上させることが可能となる。よって、スイッチ状態の復元作業の効率を向上させることができる。
【図面の簡単な説明】
【０００９】
【図１】本開示の配電盤を示す斜視図。
【図２】配電盤の正面図。
【図３】操作スイッチ周辺の構造を示す正面図及び断面図。
【図４】他の実施形態の表示部材を示す斜視図。
【図５】他の実施形態の配電盤を示す斜視図。
【図６】他の実施形態の操作スイッチ及び表示部材を示す斜視図。
【図７Ａ】他の実施形態の表示部材を示す斜視図。
【図７Ｂ】他の実施形態の表示部材を示す斜視図。
【発明を実施するための形態】
【００１０】
本開示の一実施形態について図面を用いて説明する。
【００１１】
図１及び図２に示すように、配電盤は、正面側Ｘ１を向く開口２０を有する筐体２と、筐体２に収容される電気機器である遮断器１と、電気機器である遮断器１を操作するための操作スイッチ１０と、筐体２の開口２０を閉塞可能な扉３と、を有する。電気機器である遮断器１は、操作スイッチ１０と一体に形成され、遮断器１が複数設けられることから、操作スイッチ１０も複数配置されている。
【００１２】
図１に示すように、操作スイッチ１０は、接点を開閉するために入状態及び切状態のいずれかに切換可能であり、筐体２側に取り付けられた状態で正面側Ｘ１に向かって突出している。
【００１３】
筐体２は、図１〜図２に示すように、開口２０を有する箱形をなし、天板部２１、背板部２２、側板部２３及び底板部２４で、遮断器１を含む電気機器を収納する空間を形成している。配電盤を構成する各電気機器（遮断器１を含む）は中板（非図示）に取り付けられ、中板が背板部２２に取り付けられる。
【００１４】
図１〜図２に示すように、遮断器１を含む電気機器の正面側Ｘ１には、扉３が側板部２３に開閉可能に取り付けられている。扉３には、遮断器１に対応する覗き窓３０が形成されており、操作スイッチ１０が覗き窓３０から正面側Ｘ１に開放（露出）している。扉３は、内部の電気機器の導電部を遮蔽して安全性を確保すると共に、見栄えを向上させるために設けられる。本実施形態では、扉３は、観音開きの扉であるが、これに限定されない。例えば片開きの扉であってもよい。
【００１５】
配電盤は、操作スイッチ１０に対応して設置される表示部材５を有する。表示部材５は、操作により複数の姿勢に姿勢変更可能又は複数の位置にスライド移動可能、又は複数の姿勢に着脱可能に構成されている。表示部材５は、姿勢又は位置の違いを識別可能にするための識別要素を有する。表示部材５が姿勢又は位置を保持することにより、対応する操作スイッチ１０の状態を表示可能に構成されている。識別要素は、部材の形状、部材に付されたマークが挙げられる。部材の形状としては、凹凸が挙げられる。マークとしては、丸、三角、四角、矢印等の種々の形状の印、文字、部材と異なる色の着色などが挙げられる。
【００１６】
具体的には、図２及び図３に示すように、表示部材５は、扉３のうち覗き窓３０の近傍に設けられている。ここでいう近傍は、操作スイッチ１０に対する正面視にて、１０ｃｍ以内にあることを意味する。さらに５ｃｍ以内が好ましい。表示部材５は、回転軸Ｃ回りに回転することで複数の姿勢に変更可能に構成されている。図３に示すように、本実施形態の表示部材５は、正面視が回転軸Ｃ回りの回転対称である円形であり、同じく円板状の土台部材５１を介して扉３にネジ等の締結具ｖで回転可能に取り付けられている。表示部材５には、姿勢の違いを識別可能にするための識別要素として、側面に設けられた凸状マーク５ａ及び正面に設けられた凹マーク５ｂが設けられている。凹マーク５ｂは着色されている。
【００１７】
同図に示すように、土台部材５１と表示部材５との間に突起５２及び窪み５３が形成されており、突起５２及び窪み５３が嵌り合うことで表示部材５の姿勢を保持するように構成されている。本実施形態では、突起５２及び窪み５３の組が回転軸Ｃを挟んで１８０度毎に配置されている。これにより、表示部材５は、右向き姿勢ｐｓ１と左向き姿勢ｐｓ２とに保持可能である。表示部材５の姿勢によって操作スイッチ１０の状態を表示可能である。
【００１８】
図３の例では、表示部材５は、操作によって、２つの姿勢に姿勢変更可能に構成されているが、これに限定されない。例えば、図４に示すように、表示部材５’は、複数の位置（ｐ１，ｐ２）にスライド移動可能に構成されていてもよい。具体的には、土台部材５１’は、開口を有する偏平箱状をなし、表示部材５’の一部を開口から露出させつつ表示部材５’の他部を収容している。土台部材５１’は扉３に取り付けられている。図４の表示部材５’の識別要素は、突条リブ５２’や、表示部材５’の表面に付されたマーク、土台部材５１’の内部に付された文字、色などが挙げられる。
【００１９】
図５の例は、配電盤の一種である制御盤を示す図である。配電盤は、筐体２と、筐体２に収容される電気機器と、電気機器を操作するための複数の操作スイッチ１０’と、筐体２を閉塞する扉３と、を有する。扉３に操作スイッチ１０’が取り付けられている。図５の例では、扉３の前面に取り付けられているが、扉３の裏面でもよい。表示部材５は、扉３のうち操作スイッチ１０’の近傍に取り付けられている。扉３には、操作スイッチ１０’の他、ラベルホルダ３１、ランプ類３２が設けられている。
【００２０】
図６の例は、筐体２内に操作スイッチ１０’が配置されている例である。筐体２に中板（非図示）が取り付けられ、中板に、操作スイッチ１０’を固定するための固定台２５が取り付けられる。固定台２５の取り付け面２５ａに、操作スイッチ１０’が取り付けられている。表示部材５は、固定台２５の取り付け面２５ａのうち操作スイッチ１０’の近傍に取り付けられている。
【００２１】
図７Ａ及び図７Ｂは、表示部材５’’（３１ｂ）が複数の姿勢で着脱可能に構成された例を示す。図２及び図５に示すように、操作スイッチ１０（１０’）に対応して、機器名等が付されたラベルカードを保持するラベルホルダ３１が設置されている。図７Ａ及び図７Ｂに示すように、ラベルホルダ３１は、箱本体３１ａと、箱本体３１ａに着脱可能な透明蓋３１ｂと、を有し、内部にラベルカード３１ｃを保持可能に構成されている。図７Ａの例では、表示部材５’’は、矢印マークなどの識別要素５ｄが付された透明プレート５’’であり、ラベルカード３１ｃと共にラベルホルダ３１の内部に配置される。表示部材５’’は、識別要素５ｄが右側となる姿勢ｐｓ１と左側となる姿勢ｐｓ２とに着脱可能である。
【００２２】
図７Ｂの例では、表示部材５’’’は、矢印マークなどの識別要素５ｄが付された透明蓋３１ｂである。透明蓋３１ｂは、箱本体３１ａに対して複数の姿勢（本実施形態では２つ）で着脱可能である。
【００２３】
以上のように、本実施形態の配電盤は、筐体２と、筐体２に収容される電気機器（１）と、電気機器を操作するための複数の操作スイッチ（１０、１０’）と、操作スイッチ（１０、１０’）に対応して設置され、操作により複数の姿勢に姿勢変更可能又は複数の位置にスライド移動可能、又は複数の姿勢に着脱可能な表示部材（５、５’、５’’、５’’）と、を備え、表示部材（５、５’、５’’、５’’）は、姿勢又は位置の違いを識別可能にするための識別要素（５ａ、５ｂ、５ｄ）を有し、姿勢又は位置を保持することにより、対応する操作スイッチ（１０、１０’）の状態を表示可能に構成されている。
【００２４】
対応するとは、操作スイッチと表示部材の対応関係が、１：１でもよいし、１：複数でもよいし、複数：１でもよい。
【００２５】
この構成によれば、例えば定常時のスイッチ（１０、１０’）の状態を表示するように各表示部材（５、５’、５’’、５’’）を姿勢変更又は位置変更又は所望の姿勢で装着しておけば、表示部材（５、５’、５’’、５’’）が姿勢又は位置を保持し、識別要素（５ａ、５ｂ、５ｄ）により姿勢又は位置の違いが識別可能となるので、メンテナンス時に全てのスイッチ（１０、１０’）をオフにしたとしても、一目でどの状態に戻せば良いかが分かり、利便性を向上させることが可能となる。よって、スイッチ状態の復元作業の効率を向上させることができる。
【００２６】
本実施形態では、操作スイッチ（１０、１０’）に対応して設置されるラベルホルダ３１を備える。ラベルホルダ３１は、箱本体３１ａと、箱本体３１ａに着脱可能な透明蓋３１ｂと、を有し、内部にラベルカード３１ｃを保持可能に構成されている。表示部材５’’は、識別要素５ｄが付された透明プレートであり、ラベルカード３１ｃと共にラベルホルダ３１の内部に配置される。
【００２７】
この構成によれば、既存のラベルホルダ３１を利用すれば、低コストで表示部材５’’を複数の姿勢で着脱可能にする構成を実現することが可能となる。また、ラベルホルダ３１を有効利用するので、表示部材を設けるスペースを別途に確保しなくてよい。
【００２８】
本実施形態では、操作スイッチ（１０、１０’）に対応して設置されるラベルホルダ３１を備える。ラベルホルダ３１は、箱本体３１ａと、箱本体３１ａに着脱可能な透明蓋３１ｂと、を有し、内部にラベルカード３１ｃを保持可能に構成されている。表示部材５’’’は、識別要素５ｄが付された透明蓋３１ｂであり、透明蓋３１ｂは箱本体３１ａに対して複数の姿勢で着脱可能である。
【００２９】
この構成によれば、ラベルホルダ３１を有効利用するので、表示部材を設けるスペースを別途に確保しなくてよい。
【００３０】
本実施形態では、表示部材５は、回転軸Ｃ回りに回転することで複数姿勢に姿勢変更可能である。
【００３１】
この構成によれば、スライド移動式に比べて、回転による姿勢変更を行う方が、必要なスペースを節約でき、小型が可能となる。
【００３２】
本実施形態では、表示部材５を回転可能に支持する土台部材５１を備え、土台部材５１と表示部材５との間に突起５２及び窪み５３が形成され、突起５２及び窪み５３が嵌り合うことで表示部材５の姿勢を保持するように構成されている。
【００３３】
この構成によれば、簡素な構成で、姿勢変更及び姿勢保持を実現可能となる。
【００３４】
本実施形態では、筐体２を閉塞する扉３を備え、扉３は、操作スイッチ１０を正面側へ開放する覗き窓３０を有し、表示部材５は、扉３のうち覗き窓３０の近傍に設けられている。
【００３５】
この構成によれば、扉３に形成された覗き窓３０から操作スイッチ１０が見えている配電盤において、操作スイッチ１０の状態を適切に表示でき、利便性を向上させることが可能となる。
【００３６】
本実施形態では、筐体２を閉塞する扉３を備え、扉３には、操作スイッチ１０’が取り付けられ、表示部材５は、扉３のうち操作スイッチ１０’の近傍に取り付けられている。
【００３７】
この構成によれば、扉３に操作スイッチ１０’が取り付けられた配電盤において、操作スイッチ１０’の状態を適切に表示でき、利便性を向上させることが可能となる。
【００３８】
本実施形態では、筐体２内に配置され、操作スイッチ１０’を固定するための固定台２５を有し、表示部材５は、固定台２５のうち操作スイッチ１０’の近傍に取り付けられている。
【００３９】
この構成によれば、筐体２内に、固定台２５を介して操作スイッチ１０’が固定される配電盤において、操作スイッチ１０’の状態を適切に表示でき、利便性を向上させることが可能となる。
【００４０】
本開示は上述した実施形態に何ら限定されるものではなく、本開示の趣旨を逸脱しない範囲内で種々の改良変更が可能である。
【００４１】
上記では、配電盤として分電盤を例に挙げて説明したが、制御盤としての配電盤にも本開示は適用可能である。
【符号の説明】
【００４２】
１…遮断器（電気機器）
１０、１０’…操作スイッチ
２…筐体
２５…固定台
３…扉
３０…覗き窓
３１…ラベルホルダ
３１ａ…箱本体
３１ｂ…透明蓋
３１ｃ…ラベルカード
５、５’、５’’、５’’’…表示部材
５１…土台部材
５２…突起
５３…窪み
【図１】
2018174663.tif 000003
【図２】
2018174663.tif 000004
【図３】
2018174663.tif 000005
【図４】
2018174663.tif 000006
【図５】
2018174663.tif 000007
【図６】
2018174663.tif 000008
【図７Ａ】
2018174663.tif 000009
【図７Ｂ】
2018174663.tif 000010